(57)【要約】マルチフレーム予測を可能にすることによりマルチディスクリプション動き補償（ＭＤＭＣ）を拡張し、Ｉフレーム及びＰフレームに制限されない、改良されたマルチプル・ディスクリプション・コーディング（ＭＤＣ）方法及び装置が提供される。更に、本発明のコーディング方法は、例えばＭＰＥＧ２／４及びＨ.２６Ｌのような従来の予測コーデックと共に使用するようにＭＤＭＣを拡張する。改良されたＭＤＣは、上部及び下部予測符号化器として使用する従来の予測符号化器の使用を可能にする。更に、前記上部及び下部予測符号化器は、Ｂフレーム及びマルチプル予測動き補償を有利に含むことができる。依然として更に、上部、中間及び下部予測符号化器の何れもスケーラブル符号化器（例えば、動きベクトル（ＭＶ）がまず送信される場合にはデータパーティショニング型又はＦＧＳ型、時間スケーラビリティ型等）であることができる。
2005535219.tif 000002
【特許請求の範囲】
【請求項１】
入力フレームシーケンスを符号化する符号化方法において、
ａ）前記入力フレームシーケンスからの第１フレームサブシーケンスを符号化し、符号化された第１フレームサブシーケンスを生成するステップと、
ｂ）前記入力フレームシーケンスからの第２フレームサブシーケンスを符号化し、符号化された第２フレームサブシーケンスを生成するステップと、
ｃ）前記第２フレームサブシーケンスから第１予測フレームシーケンスを計算するステップと、
ｄ）前記第１フレームサブシーケンスから第２予測フレームシーケンスを計算するステップと、
ｅ）前記第１予測フレームシーケンスから第１動きベクトルセットを計算するステップと、
ｆ）前記第２予測フレームシーケンスから第２動きベクトルセットを計算するステップと、
ｇ）前記第１予測フレームシーケンスと前記符号化された第１フレームサブシーケンスとの間のエラー差として第１予測誤差を計算するステップと、
ｈ）前記第２予測フレームシーケンスと前記符号化された第２フレームサブシーケンスとの間のエラー差として第２予測誤差を計算するステップと、
ｉ）前記第１予測誤差、前記第２予測誤差、前記第１動きベクトルセット及び前記第２動きベクトルセットを符号化するステップと、
ｊ）ネットワーク状況を決定するステップと、
ｋ）前記決定されたネットワーク状況に応じて、前記符号化された第１予測誤差、前記符号化された第１動きベクトルセット及び前記符号化された第１フレームサブシーケンスを第１データサブストリームとしてスケーラブルに結合するステップと、
ｌ）前記決定されたネットワーク状況に応じて、前記符号化された第２予測誤差、前記符号化された第２動きベクトルセット及び前記符号化された第２フレームサブシーケンスを第２データサブストリームとしてスケーラブルに結合するステップと、
ｍ）前記第１データサブストリーム及び前記第２データサブストリームを独立に送信するステップと、
を有する方法。
【請求項２】
前記決定されたネットワーク状況が通信路の帯域幅の決定である、請求項１に記載の方法。
【請求項３】
前記ステップ（ａ）の前に前記入力フレームシーケンスを所定のコーディング順序に配置する事前ステップを含む、請求項１に記載の方法。
【請求項４】
前記第１フレームサブシーケンスが、前記入力フレームシーケンスからの奇数フレームのみを有する、請求項１に記載の方法。
【請求項５】
前記第２フレームサブシーケンスが、前記入力フレームシーケンスからの偶数フレームのみを有する、請求項１に記載の方法。
【請求項６】
前記第２フレームサブシーケンスが、前記第１フレームサブシーケンスに含まれない前記入力フレームシーケンスからのフレームを含む、請求項１に記載の方法。
【請求項７】
前記第１フレームサブシーケンス及び前記第２フレームサブシーケンスが、ユーザプリファレンスに応じて選択される、請求項１に記載の方法。
【請求項８】
前記入力フレームシーケンスがイントラフレームと予測フレームと双方向フレームとを含む、請求項１に記載の方法。
【請求項９】
入力フレームシーケンスを符号化する符号化器において、
ａ）第１サイド符号化器において前記入力フレームシーケンスからの第１フレームサブシーケンスを符号化する手段と、
ｂ）第２サイド符号化器において前記入力フレームシーケンスからの第２フレームサブシーケンスを符号化する手段と、
ｃ）中央符号化器において前記第２フレームサブシーケンスから第１予測フレームシーケンスを計算する手段と、
ｄ）前記中央符号化器において前記第１フレームサブシーケンスから第２予測フレームシーケンスを計算する手段と、
ｅ）前記中央符号化器において前記第１予測フレームシーケンスから第１動きベクトルセットを計算する手段と、
ｆ）前記中央符号化器において前記第２予測フレームシーケンスから第２動きベクトルセットを計算する手段と、
ｇ）前記中央符号化器において前記第１予測フレームシーケンスと前記符号化された第１フレームサブシーケンスとの間のエラー差として第１予測誤差を計算する手段と、
ｈ）前記中央符号化器において前記第２予測フレームシーケンスと前記符号化された第２フレームサブシーケンスとの間のエラー差として第２予測誤差を計算する手段と、
ｉ）前記中央符号化器において前記第１予測誤差、前記第２予測誤差、前記第１動きベクトルセット及び前記第２動きベクトルセットを符号化する手段と、
ｊ）ネットワーク状況を決定する手段と、
ｋ）前記決定されたネットワーク状況に応じて、前記符号化された第１予測誤差、前記符号化された第１動きベクトルセット及び前記符号化された第１フレームサブシーケンスを第１データサブストリームとしてスケーラブルに結合する手段と、
ｌ）前記決定されたネットワーク状況に応じて、前記符号化された第２予測誤差、前記符号化された第２動きベクトルセット及び前記符号化された第２フレームサブシーケンスを第２データサブストリームとしてスケーラブルに結合する手段と、
ｍ）前記符号化器から前記第１データサブストリーム及び前記第２データサブストリームを独立に送信する手段と、
を有する符号化器。
【請求項１０】
前記第１サイド符号化器、前記第２サイド符号化器及び前記中央符号化器が従来の予測符号化器である、請求項９に記載の符号化器。
【請求項１１】
前記第１サイド符号化器、前記第２サイド符号化器及び前記中央符号化器がスケーラブル符号化器である、請求項１０に記載の符号化器。
【請求項１２】
前記従来の予測符号化器が、ＭＰＥＧ１符号化器と、ＭＰＥＧ２符号化器と、ＭＰＥＧ４符号化器と、ＭＰＥＧ７符号化器と、Ｈ.２６１符号化器と、Ｈ.２６２符号化器と、Ｈ.２６３符号化器と、Ｈ.２６３＋符号化器と、Ｈ.２６３＋＋符号化器と、Ｈ.２６Ｌ符号化器とを含む符号化器のグループから選択された符号化器である、請求項１０に記載の符号化器。
【請求項１３】
前記符号化器が無線ネットワークの遠隔通信トランスミッタ内に含まれる、請求項９に記載の符号化器。
【請求項１４】
入力フレームシーケンスを符号化するシステムにおいて、
前記入力フレームシーケンスからの第１フレームサブシーケンスを符号化し、符号化された第１フレームサブシーケンスを生成する手段と、
前記入力フレームシーケンスからの第２フレームサブシーケンスを符号化し、符号化された第２フレームサブシーケンスを生成する手段と、
前記第２フレームサブシーケンスから第１予測フレームシーケンスを計算する手段と、
前記第１フレームサブシーケンスから第２予測フレームシーケンスを計算する手段と、
前記第１予測フレームシーケンスから第１動きベクトルセットを計算する手段と、
前記第２予測フレームシーケンスから第２動きベクトルセットを計算する手段と、
前記第１予測フレームシーケンスと前記符号化された第１フレームサブシーケンスとの間のエラー差として第１予測誤差を計算する手段と、
前記第２予測フレームシーケンスと前記符号化された第２フレームサブシーケンスとの間のエラー差として第２予測誤差を計算する手段と、
前記第１予測誤差、前記第２予測誤差、前記第１動きベクトルセット及び前記第２動きベクトルセットを符号化する手段と、
ネットワーク状況を決定する手段と、
前記決定されたネットワーク状況に応じて、前記符号化された第１予測誤差、前記符号化された第１動きベクトルセット及び前記符号化された第１フレームサブシーケンスを第１データサブストリームとしてスケーラブルに結合する手段と、
前記決定されたネットワーク状況に応じて、前記符号化された第２予測誤差、前記符号化された第２動きベクトルセット及び前記符号化された第２フレームサブシーケンスを第２データサブストリームとしてスケーラブルに結合する手段と、
前記第１データサブストリーム及び前記第２データサブストリームを独立に送信する手段と、
を有するシステム。
【請求項１５】
前記入力フレームシーケンスを所定のコーディング順序に配置する手段を更に含む、請求項１４に記載のシステム。
【発明の詳細な説明】
【技術分野】
【０００１】
本発明は、一般的にはネットワーク又は他のタイプの通信媒体を介する伝送に対するデータ、音声、オーディオ、画像、ビデオ及び他のタイプの信号のマルチプル・ディスクリプション・コーディング（multiple description coding）（ＭＤＣ）に関する。
【背景技術】
【０００２】
今日のネットワークを流れる情報の大部分は、劣化した状態であっても有用である。例は音声、オーディオ、静止画像及びビデオを含む。この情報がパケット損失を受ける場合、リアルタイム制約のために再送信は不可能であるかもしれない。全ての伝送速度、歪及び遅延に関する優れた性能は、時々損失パケットを繰り返すよりむしろビットストリームに余剰部分（redundancy）を追加することにより達成されることができる。
【０００３】
余剰部分は、１つの仕方においてはマルチプル・ディスクリプション・コーディング（ＭＤＣ）によりビットストリームに追加されることができ、データは複数のストリームに分解され、前記ストリーム間に幾らかの余剰部分を持つようにされる。全てのストリームが受信される場合、純粋に圧縮のために設計されたシステムよりわずかに高いビットレートを負担することにより低歪を保証することができる。他方では、前記ストリームの幾つかのみが受信される場合、再構成の品質は潔く劣化し、これは純粋に圧縮のために設計されたシステムを用いては非常に起こりそうにない。マルチ解像度又は階層ソースコーディングとは異なり、ディスクリプション（description、記述）の階層が無く、従ってマルチプル・ディスクリプション・コーディングは、消去通信路（erasure channel）又は優先度を与えないパケットネットワークに対して適している。
【０００４】
マルチプル・ディスクリプション・コーディングは、複数の仕方で実施されることができる。１つの仕方は、符号化器において奇数及び偶数フレームのシーケンスを別々に集め、結果として生じる時間的にサブサンプリングされたシーケンスを独立に符号化することにより入力ビデオストリームを任意の通信路のサブセットに分割することによる。復号器において前記サブサンプリングされたシーケンスの１つを受信すると、前記ビデオストリームは、フレームレートの半分で復号されることができる。前記ビデオストリームの相関性を持つ性質のため、前記サブサンプリングされたシーケンスの１つのみを受信することは、動き補償エラー隠蔽技術を使用して中間フレームのリカバリを可能にする。この技術は、文献Wenger et al., “Error resilience support in H.263+,”, IEEE Transactions on Circuits and Systems for Video Technology, pp.867-877, November 1998により詳細に記載されている。
【０００５】
エラー回復（error resilience）を達成するために、文献Wang and Lin, “Error resilient video coding using multiple description motion compensation,” IEEE Trans. Circuits and Systems for Video Technology, vol.12, no.6, pp.4348-52, June 2002は、 マルチプル・ディスクリプション・コーディングを実施する１つの方法を記載している。このアプローチによると、時間的予測器（temporal predictors）は、符号化器が符号化する間に過去の偶数フレーム及び奇数フレームの両方を使用することを可能にし、従って１つのディスクリプションのみが復号器において受信される場合に前記符号化器と前記復号器との間に不適合（mismatch）を引き起こす。不適合エラーは、この問題を克服するために明示的に符号化される。前記符号化器が予測のために奇数及び偶数フレームシーケンスの両方を使用することを可能にする主な利点は、コーディングの効率に関する。時間的フィルタタップを変えることにより、余剰部分の量は制御されることができる。開示された前記方法は、余剰部分の量とエラー回復との間で合理的な順応性を与える。
【０００６】
Wang and Linのアプローチの欠点は、これがＩフレーム及びＰフレームのみに限られる（Ｂフレームがない）ことである。このアプローチの更に他の欠点は、Ｈ.２６Ｌに採用されたようなマルチフレーム予測を可能にしないことである。これらの欠点は、ＭＤＭＣのコーディング効率を制限し、利用可能なコーデックモジュールを使用する代わりに完全な専用の実施を必要とする。
【発明の開示】
【発明が解決しようとする課題】
【０００７】
本発明は、上述の欠点を克服する改良されたマルチプル・ディスクリプション・コーディング（ＭＤＣ）方法及び装置を提供する。特に、本発明のコーディング方法は、マルチフレーム予測を可能にすることによりマルチディスクリプション動き補償（multi-description motion compensation）（ＭＤＭＣ）を拡張し、Ｉフレーム及びＰフレームのみに制限されない。更に、本発明のコーディング方法は、例えばＭＰＥＧ２／４及びＨ.２６Ｌのような従来の予測コーデックと共に使用するようにＭＤＭＣを拡張する。
【課題を解決するための手段】
【０００８】
本発明の第１態様によると、３つの予測符号化器、即ち上部、中間及び下部符号化器を含む改良ＭＤＭＣ符号化器が提供される。入力フレームは３つの異なる入力として前記符号化器に供給される。前記入力フレームは、中央符号化器に供給される。加えて、前記入力フレームは、フレームの２つのサブストリーム、即ち奇数フレームのみを有する第１サブストリーム及び偶数フレームのみを有する第２サブストリームに分離又は分割される。奇数フレームからなる前記第１サブストリームは、上部符号化器により符号化されるために入力として供給され、符号化された奇数フレームシーケンスを生じ、偶数フレームからなる前記第２サブストリームは、下部符号化器により符号化されるために入力として供給され、符号化された偶数フレームシーケンスを生じる。他の実施例は、例えば３フレームごとに２フレームが前記上部符号化器により符号化され、３番目のフレームごとに前記下部符号化器により符号化される不均衡な分割のような異なる基準を使用して前記フレームを分割してもよいことに注意する。フレームの元の分割されていない入力ストリームは、前記偶数フレームから前記奇数フレームの予測を計算する前記中央符号化器に加えられる。加えて、前記中央符号化器は、前記奇数フレームから前記偶数フレームの予測を別々に計算する。前記中央符号化器とそれぞれ第１サイド及び第２サイド符号化器との間で予測誤差（prediction residual）が計算される。本発明の前記ＭＤＭＣ符号化器は、前記上部符号化器の出力と共に前記偶数フレームの予測に対応する第１計算予測誤差を出力し、前記下部符号化器の出力と共に前記奇数フレームの予測に対応する第２計算予測誤差を出力する。
【０００９】
本発明の第２態様によると、フレームのシーケンスを表すビデオ信号を符号化する方法が提供され、前記方法は、前記フレームのシーケンスを第１サブシーケンス及び第２サブシーケンスに分割するステップと、第１サイド符号化器に前記第１サブシーケンスを加えるステップと、第２サイド符号化器に前記第２サブシーケンスを加えるステップと、中央符号化器に元の分割されていない前記フレームのシーケンスを加えるステップと、前記第１サイド符号化器の出力と前記中央符号化器の出力との間で第１予測誤差を計算するステップと、前記第２サイド符号化器の出力と前記中央符号化器の出力との間で第２予測誤差を計算するステップと、前記第１予測誤差及び前記第１サイド符号化器の出力を第１データサブストリームとして結合するステップと、前記第２予測誤差と前記第２符号化器の出力を第２データサブストリームとして結合するステップと、前記第１データサブストリーム及び前記第２データサブストリームを別々に送信するステップとを有する。
【００１０】
本発明の利点は以下のことを含む。
【００１１】
（１）従来の予測符号化器が上部及び下部符号化器に使用されることができる。更に、上部及び下部の前記予測符号化器は、有利にＢフレーム及びマルチプル予測動き補償を含むことができる。
【００１２】
（２）上部、中間及び下部の予測符号化器はスケーラブル符号化器（例えば、動きベクトル（ＭＶ）がまず送信される場合にはデータパーティショニング型又はＦＧＳ型、時間スケーラビリティ型等）であることができる。例えば、前記中間符号化器のみがスケーラブル符号化器である場合、前記中間符号化器は、通信路が許可する量の情報のみを送信することになる。利用可能な帯域幅が非常に狭いと決定される極端な場合、前記サイド符号化器により符号化された情報のみが送信されることになる。追加の帯域幅が利用可能になると、前記通信路が許可する量の不適合信号が、スケーラブルな前記中間符号化器を使用して送信されることになる。
【００１３】
（３）前記システムの複雑さを制限するために、前記不適合信号を決定する、奇数／偶数フレームシーケンスからの現在の偶数／奇数フレームの予測は、Ｂフレームから行われることができる。
【００１４】
（４）従来のようにサイド予測エラー（即ち、前記サイド符号化器に対する前記偶数フレームと奇数フレームとの間のエラー）及び前記サイド予測エラーと中央エラー（即ち、現在のフレームと前の２つのフレームからの予測との間のエラー）との間の不適合をも計算及び符号化する代わりに、代替的に、前記中央エラーが計算される。
【００１５】
ここで同じ参照符号が対応する部分を表す図面を参照する。
【発明を実施するための最良の形態】
【００１６】
マルチプル・ディスクリプション・コーディング（ＭＤＣ）は圧縮の一形式を指し、目標は入力信号を複数の異なるビットストリームに符号化することであり、マルチプル・ビットストリームはしばしばマルチプル・ディスクリプションと称される。これらの異なるビットストリームは、全て互いに独立して復号されることができるという性質を持つ。特にもし復号器が単一のビットストリームを受信すれば、前記復号器は（他のビットストリームに対するアクセスを必要とせずに）有用な信号を生成するために前記ビットストリームを復号することができる。ＭＤＣは、より多くのビットストリームが正確に受信されるほど、復号された信号の品質が向上するという追加の性質を持つ。例えば、ビデオはＭＤＣを用いて合計Ｎ個のストリームに符号化されると仮定する。復号器がこれらＮ個のストリームの何れか１つを受信する限り、前記復号器は前記ビデオの有用なバージョンを復号することができる。もし前記復号器が２つのストリームを受信するならば、前記復号器は前記ストリームの１つのみを受信する場合と比較して改良されたバージョンの前記ビデオを復号することができる。この品質における改良は、レシーバが前記ストリームのＮ個全てを受信するまで続き、この場合前記復号器は最大品質を再構成することができる。
【００１７】
ビデオのＭＤＣコーディングを達成する複数の異なるアプローチが存在する。１つのアプローチは、異なるフレームを異なるストリームに独立に符号化することである。例えば、ビデオシーケンスの各フレームは、イントラフレームコーディングのみ、例えばＪＰＥＧ、ＪＰＥＧ−２０００又はＩフレーム符号化のみを使用するビデオコーディング規格（例えばＭＰＥＧ−１／２／４、Ｈ.２６−１／３）の何れかを使用して、単一のフレームとして（他のフレームとは独立して）符号化されることができる。この場合、異なるフレームは異なるストリームで送信されることができる。例えば、全ての前記偶数フレームシーケンスは、ストリーム１で送信されることができ、全ての前記奇数フレームは、ストリーム２で送信されることができる。前記フレームのそれぞれは他のフレームと独立に復号されることができるので、前記ビットストリームのそれぞれも他のビットストリームとは独立に復号されることができる。ＭＤＣビデオコーディングのこの単純な形式は、上述の性質を持つが、フレーム間コーディングの欠如のため圧縮に関してはあまり効率的ではない。
【００１８】
図１を詳細に説明する前に、ＭＰＥＧ２規格において使用されたような予測ストラテジ及びデジタル化ピクチャ内のピクセルの階層配置に関して幾つかの定義を想起する。輝度サンプル及びクロミナンスサンプル（ピクセル）の両方が、それぞれ８×８の行列（それぞれ８ピクセルの８行）からなるブロックにグループ分けされ、特定数の輝度ブロック及びクロミナンスブロック（例えば輝度データの４つのブロック及びクロミナンスデータの２つの対応するブロック）はマクロブロックを形成し、前記デジタル化ピクチャはこの場合、マクロブロックの行列を有し、前記マクロブロックの行列のサイズは、選択されたプロファイル（即ち解像度）及び電源周波数に依存し、例えば５０Ｈｚ電源の場合には前記サイズは最小１８×３２のマクロブロックから最大７２×１２０の範囲を取ることができる。ピクチャは、フレーム構造（後の行のピクセルが異なるフィールドに関連する）又はフィールド構造（全てのピクセルが同じフィールドに関連する）を持つことができる。結果としてマクロブロックは同様にフレーム構造又はフィールド構造を持つことができる。ピクチャはピクチャのグループに組織化され、第１ピクチャは常にＩピクチャであり、この後に複数のＢピクチャ（双方向に内挿された（interpolated）ピクチャであり、前方向若しくは後方向予測又は両方に対して提出され、ここで‘前方向’は予測が以前の参照ピクチャに基づくことを意味し、‘後方向’は予測が未来の参照ピクチャに基づくことを意味する）が後に続き、前記Ｂピクチャの予測に使用され、前記Ｉピクチャの直後に符号化されるべきＰピクチャが後に続く。
【００１９】
図１を参照すると、図示されていないソースは、既にコーディングの順序、即ち予測のために使用するピクチャの前に前記参照ピクチャを利用可能にする順序に配置されたフレームのシーケンス２０１（即ちフレーム構造）を符号化器２００に供給する。完全なフレームシーケンス２０１は、符号化されるピクチャ内の各マクロブロックに対して１つ又は複数の動きベクトル及び各ベクトルに関連付けられたコスト又はエラーを計算し、発する動き推定ユニット（図示されていない）により受信される。符号化器２００は、第１サイド符号化器（サイド符号化器１）２０２と中央符号化器２０４と第２サイド符号化器２０６とを含む。完全なフレームシーケンス２０１はそのまま中央符号化器２０４に加えられる。本実施例において完全なフレームシーケンス２０１の偶数フレームシーケンスサブセット２１０を構成する完全なフレームシーケンス２０１の第１サブセット２１０は、第１サイド符号化器２０２に加えられる。本実施例において完全なフレームシーケンス２０１の奇数フレームシーケンス２２０を構成する完全なフレームシーケンス２０１の第２サブセット２２０は、第２サイド符号化器２０６に加えられる。
【００２０】
予測符号化動作がここで要約される。
【００２１】
Ａ．第１サイド符号化器２０２
入力シーケンス２０１のサブセットを有する奇数フレームサブシーケンス２１０が第１サイド符号化器２０２に加えられる。第１サイド符号化器２０２は従来の予測コーデック（例えばＭＰＥＧ−１／２／４、Ｈ.２６−１／３）として有利に実施されることができることに注意すべきである。奇数フレームサブシーケンス２１０は符号化された奇数フレームサブシーケンス２１１を出力する第１サイド符号化器２０２により符号化される。符号化された奇数フレームサブシーケンス２１１は、出力されるべき１つの要素として第１データサブストリーム２４５に含まれる。符号化された奇数フレームサブシーケンス２１１は、後で記述される中央符号化器サブモジュール２３０にも入力として供給される。
【００２２】
Ｂ．第２サイド符号化器２０６
入力シーケンスのサブセット２２０を有する偶数フレームサブシーケンス２２０は第２サイド符号化器２０６に加えられる。第２サイド符号化器２０６も、第１サイド符号化器２０２と同様に、従来の予測コーデック（例えばＭＰＥＧ−１／２／４、Ｈ.２６−１／３）として有利に実施されることができる。偶数フレームサブシーケンス２２０は、符号化された偶数フレームサブシーケンス２１２を出力する第２サイド符号化器２０６により符号化される。符号化された偶数フレームサブシーケンス２１２は、出力されるべき１つの要素として第２データサブストリーム２５５に含まれる。符号化された偶数フレームサブシーケンス２１２は、後で記述される中央符号化器サブモジュール２３２にも入力として供給される。
【００２３】
Ｃ．中央符号化器２０４
完全なフレームシーケンス２０１が中央符号化器２０４に加えられる。
【００２４】
中央符号化器サブモジュール２５０は、動きベクトルの第１セット２１４を計算し、また入力シーケンス２０１の奇数フレームから偶数フレームの予測を構成する偶数フレーム予測シーケンス２１５をも計算及び符号化する。中央符号化器サブモジュール２５０は、偶数フレーム予測シーケンス２１５及び第１動きベクトルシーケンス２１４を出力し、両方とも中央符号化器サブモジュール２３０に入力として供給される。
【００２５】
中央符号化器サブモジュール２６０は、動きベクトルの第２セット２１６を計算し、入力シーケンス２０１の偶数フレームから奇数フレームの予測を構成する奇数フレーム予測シーケンス２１７をも計算及び符号化する。中央符号化器サブモジュール２５０は、奇数フレーム予測シーケンス２１７及び第２動きベクトルシーケンス２１６を出力し、両方とも中央符号化器サブモジュール２３０に入力として供給される。
【００２６】
中央符号化器サブモジュール２３０は２つの機能又は処理を実行する。第１処理は、サブモジュール２５０から受信された動きベクトルの第１セット２１４を符号化して符号化された動きベクトルの第１セット２１８を出力することを目的とする。第２機能又は処理は、第１予測誤差２２１を計算することを目的とし、以下のように計算されることができる。
第１予測誤差＝ｅc−ｅs  （１）
ここでｅc＝偶数フレーム予測フレームシーケンス２１５であり、
ｅs＝符号化された奇数フレームサブシーケンス２１１である。
【００２７】
中央符号化器サブモジュール２３０の出力は、符号化された動きベクトルの第１セット２１８と共に符号化された第１予測誤差２２１を含む。これらの出力は符号化された奇数フレームシーケンス２１１と結合され（ポイントＡ）、第１データサブストリーム２４５としてまとめて出力される。
【００２８】
同様に、前記第２予測誤差は、以下のように第２データサブストリーム２５５への包含のために計算される。
第２予測誤差＝ｅc−ｅs  （２）
ここでｅc＝奇数フレーム予測フレームシーケンス２１７であり、
ｅs＝符号化された偶数フレームサブシーケンス２１２である。
【００２９】
中央符号化器サブモジュール２３２の出力は、符号化された動きベクトルの第２セット２１９と共に符号化された第２予測誤差２２２を含む。これらの出力は符号化された偶数フレームシーケンス２１２と結合され（ポイントＢ）、第２データサブストリーム２５５として出力される。
【００３０】
本発明の好適な実施例の前述の記載は、実例及び説明の目的で提示されている。これらの実施例は、網羅的であること又は本発明を開示された厳格な形式に限定することを意図されておらず、明らかに多くの修正例及び変更例が上述の教えを考慮して可能である。当業者に明らかであるこのような修正例及び変更例は、添付請求項により定められた本発明の範囲内に含まれると意図される。
【図面の簡単な説明】
【００３１】
【図１】本発明の一実施例によるＭＤＭＣ符号化器を図示する。
【図１】
2005535219.tif 000003
【国際調査報告】
2005535219.tif 000004
2005535219.tif 000005
2005535219.tif 000006